(57)【要約】【課題】、色の異なる複数の光源から出力される光を用いて画像表示を行う場合に、輝度ムラを適切に補正できる画像表示装置を提供することにある。【解決手段】画像表示装置１は、投影画像を表示するための赤、緑の光を出力する複数の発光部１７Ｒ，１７Ｇ、１７Ｂと、予め用意された原画像情報の各色の輝度を調整するためのパラメータを設定するパラメータ設定部１３と、パラメータ設定部１３により設定したパラメータに基づいて、原画像情報を調整して、表示する画像の画像情報を生成する画像情報生成部１５と、画像情報生成部１５により生成した画像情報に基づいて、赤、緑、青の光を変調する画像形成部１８と、を有する。【選択図】図１
2016177198.tif 000002
【特許請求の範囲】
【請求項１】
投影画像を表示するための異なる色の光を出力する複数の発光部と、
原画像情報を前記光の色毎に調整するためのパラメータを設定するパラメータ設定部と、
前記パラメータ設定部により設定した前記パラメータに基づいて、前記原画像情報を前記色毎に調整して、表示画像情報を生成する画像情報生成部と、
前記画像情報生成部により生成した前記画像情報に基づいて、前記複数の発光部からの光を変調する画像形成部と、
を有する画像表示装置。
【請求項２】
前記パラメータ設定部は、
前記光の色毎に輝度を調整する前記パラメータを設定し、
前記画像情報生成部は、前記パラメータを基に、前記原画像情報の輝度を色毎に調整する
請求項１に記載の画像表示装置。
【請求項３】
前記パラメータ設定部は、
前記画像形成部により生成する前記画像の画質評価値が所定の基準を満たさない場合に、前回と異なる前記パラメータを設定する、
請求項１または請求項２に記載の画像表示装置。
【請求項４】
前記画像形成部は、
前記画像情報生成部が生成した前記画像情報に基づいて、前記光を位相変調してホログラム回折光を生成する、
請求項１〜３のいずれかに記載の画像表示装置。
【請求項５】
前記パラメータ設定部は、
前記投影画像のカラーアンバンランスを解消する前記パラメータを設定する、
請求項１〜４のいずれかに記載の画像表示装置。
【請求項６】
前記パラメータ設定部は、
前記投影画像の混合色の色調を調整する前記パラメータを設定する、
請求項１〜５のいずれかに記載の画像表示装置。
【請求項７】
前記パラメータ設定部は、
前記投影画像内に規定された複数の画像ブロック毎に前記パラメータを設定し、
前記画像形成部は、
前記画像情報生成部により生成した前記画像情報に基づいて、前記光を変調して前記複数の画像ブロック毎に異なるタイミングで前記変調を行う、
請求項１〜６のいずれかに記載の画像表示装置。
【請求項８】
前記複数の発光部は、
赤色の光と緑色の光と青色の光とを各々出力し、
前記パラメータ設定部は、
表示画像における赤色と緑色と青色の輝度の比を調整するための前記パラメータを設定する、
請求項１〜７のいずれかに記載の画像表示装置。
【請求項９】
前記原画像情報には、輝度調整用画像が含まれ、
前記画像情報生成部は、前記設定されたパラメータを基に、前記輝度調整用画像を含む前記表示画像情報を生成し、
前記画像形成部によって変調された前記輝度調整用画像に応じた光を検出する受光部と、
前記受光部の検出結果を基に、前記発光部の光出力を制御する発光制御部と
を有する
請求項１〜８のいずれか記載の画像表示装置。
【発明の詳細な説明】
【技術分野】
【０００１】
本発明は、例えばヘッドアップディスプレイ等の画像表示装置に関するものである。
【背景技術】
【０００２】
近年、ホログラフィック光学素子を用いて、車両のウィンドウシールドに表示画像を投影することにより、運転者に表示画像の虚像を視認させるヘッドアップディスプレイが知られている。
【０００３】
このようなヘッドアップディスプレイは、複数の光源から各々出力される光を、映像信号に応じて変調して出射することにより虚像を表示する。この際、ヘッドアップディスプレイにより表示される表示画像には、表示位置によって輝度が異なる輝度ムラ（色ムラ）が生じる。
【０００４】
特許文献１には、画像表示装置に関し、表示画像を表示する表示パネルを複数の領域に分けて、その領域毎に輝度を調整することで輝度ムラを補正する技術が開示されている。
【先行技術文献】
【特許文献】
【０００５】
【特許文献１】国際公開第２０１３−０２７２７７号公報
【発明の概要】
【発明が解決しようとする課題】
【０００６】
しかしながら、上述した従来の技術では、色の異なる複数の光源から出力される光を表示位置で合成して混合色を得る場合に、表示位置に到達する光の入射角度、波長及び輝度の異なりに起因して輝度ムラが生じるという問題がある。
【０００７】
本発明はかかる事情に鑑みてなされたものであり、その目的は、色の異なる複数の光源から出力される光を用いて画像表示を行う場合に、輝度ムラを適切に補正できる画像表示装置を提供することにある。
【課題を解決するための手段】
【０００８】
本発明の画像表示装置は、投影画像を表示するための異なる色の光を出力する複数の発光部と、原画像情報を前記光の色毎に調整するためのパラメータを設定するパラメータ設定部と、前記パラメータ設定部により設定した前記パラメータに基づいて、前記原画像情報を前記色毎に調整して、表示画像情報を生成する画像情報生成部と、前記画像情報生成部により生成した前記画像情報に基づいて、前記複数の発光部からの光を変調する画像形成部とを有する。
【０００９】
この構成によれば、異なる色の光を出力する複数の発光部からの光を変調して画像を形成する場合に、パラメータ設定部が色毎に設定したパラメータを基に、画像情報生成部において、原画像情報を色毎に調整することができる。そのため、色ムラ等を抑えた高画質なカラー画像を提供できる。
【００１０】
好適には本発明の画像表示装置の前記パラメータ設定部は、前記光の色毎に輝度を調整する前記パラメータを設定し、前記画像情報生成部は、前記パラメータを基に、前記原画像情報の輝度を色毎に調整する。
この構成によれば、色毎に色の異なる複数の光源から出力される異なる光を合成して混合色を得る際の輝度ムラを、パラメータに基づいて原画像情報を調整することにより補正できる。
【００１１】
好適には本発明の画像表示装置の前記パラメータ設定部は、前記画像形成部により生成する前記画像の画質評価値が所定の基準を満たさない場合に、前回と異なる前記パラメータを設定する。
この構成によれば、画像情報の画質が所定の条件を満たすまでパラメータを変更することにより、良好な画質の画像を表示できる。
【００１２】
好適には本発明の画像表示装置は、前記画像形成部は、前記画像情報生成部が生成した前記画像情報に基づいて、前記光を位相変調してホログラム回折光を生成するものである。
【００１３】
この構成によれば、設定したパラメータに基づいて原画像情報を調整することにより、メカニカルな機構を用いずに表示輝度及び色調を調整したホログラム回折光を得て、得られたホログラム回折光により虚像を表示できる。
【００１４】
好適には本発明の画像表示装置は、前記パラメータ設定部は、前記投影画像のカラーアンバンランスを解消する前記パラメータを設定するものである。
【００１５】
この構成によれば、設定したパラメータによりカラーアンバランスを解消することにより、輝度ムラを補正する。
【００１６】
好適には本発明の画像表示装置のパラメータ設定部は、前記投影画像の混合色の色調を調整する前記パラメータを設定する。
この構成によれば、輝度ムラに影響の大きい混合色の色調をパラメータにより調整することにより、効率よく輝度ムラを調整できる。
【００１７】
好適には本発明の画像表示装置は、前記パラメータ設定部は、前記投影画像内に規定された複数の画像ブロック毎に前記パラメータを設定し、前記画像形成部は、前記画像情報生成部により生成した前記画像情報に基づいて、前記光を変調して前記複数の画像ブロック毎に異なるタイミングで前記変調を行うものである。
【００１８】
この構成によれば、画像ブロック毎にパラメータを設定して画質を調整することにより、画像ブロック毎に異なる調整を行って、より高画質な表示を可能にする。
【００１９】
好適には本発明の画像表示装置の前記複数の発光部は、赤色の光と緑色の光と青色の光とを各々出力し、前記パラメータ設定部は、表示画像における赤色と緑色と青色の輝度の比を調整するための前記パラメータを設定する。
この構成によれば、表示画像における赤色と緑色と青色の輝度の比を調整することにより、高精度な表示を可能にする。
【００２０】
好適には本発明の画像表示装置は、前記投影画像の表示位置における事前の測定値に基づいて決定されている。
【００２１】
この構成によれば、異なる表示位置に応じて輝度を調整することにより、投影画像の表示位置に関わらず高画質な表示を可能にする。
【００２２】
好適には本発明の画像表示装置では、前記原画像情報には、輝度調整用画像が含まれ、前記画像情報生成部は、前記設定されたパラメータを基に、前記輝度調整用画像を含む前記表示画像情報を生成し、前記画像形成部によって変調された前記輝度調整用画像に応じた光を検出する受光部と、前記受光部の検出結果を基に、前記発光部の光出力を制御する発光制御部とを有する。
この構成によれば、画像情報生成部が生成する輝度調整画像を基に、当該画像の受光部における検出結果を基に、発光部の光出力をフィーバックでき、輝度調整を適切に行うことができる。
【発明の効果】
【００２３】
本発明によれば、色の異なる複数の光源から出力される光を用いて画像表示を行う場合に、輝度ムラを適切に補正できる。
【図面の簡単な説明】
【００２４】
【図１】本発明の実施形態に係る画像表示装置の機能ブロック図である。
【図２】図１に示すパラメータメモリに記憶されているテーブルを示す図である。
【図３】本発明の実施形態の画像表示装置により表示する画像内に規定された複数の画像ブロックを示す図である。
【図４】本発明の実施形態の画像表示装置の動作を示すフロー図である。
【図５】本発明の実施形態の画像表示装置の動作を示す概念図である。
【図６】運転者が虚像を視認する原理を説明する図である。
【発明を実施するための形態】
【００２５】
以下、本発明の実施形態に係る画像表示装置について説明する。
＜画像表示装置の構成＞
本発明の実施形態に係る画像表示装置１の構成につき、図１乃至図３を参照しながら、以下に詳細に説明する。
【００２６】
本発明の実施の形態の画像表示装置１は、車両（移動体）に搭載されて用いられる。画像表示装置１は、図１に示すように、パラメータメモリ１１と、パラメータ設定部１３と、画像メモリ１４と、画像情報生成部１５と、発光制御部１６と、発光部１７Ｒ，１７Ｇと、画像形成部１８と、フーリエ変換レンズ１９と、受光部２０と、光拡散部２１と、光反射部２２とを有している。
【００２７】
パラメータメモリ１１は、図２に示すパラメータ選択テーブルを記憶している。
パラメータ選択テーブルは、例えば、図２（ａ）に示すように、パラメータ番号ｋ１とパラメータである輝度階調ｋ２とを対応付けて示している。輝度階調ｋ２は、赤色（Ｒ）の輝度階調ｋ２１と、緑色（Ｇ）の輝度階調ｋ２２、青色（Ｂ）の輝度階調ｋ２３とからなる。
【００２８】
また、パラメータ選択テーブルの他の例は、図２（ｂ）に示すように、パラメータ番号ｋ３とパラメータである使用ピクセル数ｋ４とを対応付けて示している。
【００２９】
また、パラメータ選択テーブルの更に他の例は、図２（ｃ）に示すように、パラメータ番号ｋ５とパラメータである受光部２０のＰＤ（受光）輝度ｋ６とを対応付けて示している。ＰＤ輝度ｋ６は、受光部２０における赤色（Ｒ）のＰＤ輝度ｋ６１と、緑色（Ｇ）のＰＤ輝度ｋ６２と、青色（Ｂ）のＰＤ輝度ｋ６３とからなる。
図２（ａ），図２（ｂ），図２（ｃ）示すように、パラメータ選択テーブルは、画像ブロック毎に複数のパラメータが規定されている。本実施形態では、図３に示すように、画像ブロック０，１，２を用いる場合を例示する。
【００３０】
上記パラメータ選択テーブルに記憶される輝度階調ｋ２、使用ピクセル数ｋ４及びＰＤ輝度ｋ６は、画像表示装置１において事前に投影画像を表示した際に測定した測定値に基づいて決定されている。また、パラメータ選択テーブルが示す輝度階調ｋ２、使用ピクセル数ｋ４及びＰＤ輝度ｋ６は、投影画像のカラーアンバンランスを解消するように規定されたパラメータである。
【００３１】
パラメータ設定部１３は、パラメータメモリ１１に記憶しているパラメータ選択テーブルを参照して、原画像情報が示す原画像内に規定された複数の画像ブロック毎にパラメータを選択して設定する。
【００３２】
パラメータ設定部１３は、受光部２０から入力した信号に基づいて、表示する画像の画質の画質評価値を求めて画質を評価する。パラメータ設定部１３は、求めた画質評価値が所定の基準（条件）を満たさない場合、パラメータメモリ１１に記憶しているパラメータ選択テーブルを参照して、前回設定したパラメータと異なるパラメータを、複数の画像ブロック毎に選択して設定する。
【００３３】
パラメータ設定部１３は、設定したパラメータを画像情報生成部１５に出力する。
【００３４】
画像メモリ１４は、表示画像の原画像情報を予め用意して記憶している。原画像情報は、例えばＪＰＥＧ(Joint Photographic Experts Group)画像情報である。
当該原画像情報には、輝度調整用画像が含まれる。さらに画像メモリ１４に、画像ブロック毎に、相互に異なるタイミングで表示される複数の前記原画像情報を予め用意することにより、画像形成部１３は、複数の画像ブロックの原画像情報を、それぞれに規定されたタイミングで位相変調してもよい。
【００３５】
画像情報生成部１５は、画像メモリ１４に記憶している原画像情報を読み出して、パラメータ設定部１３から入力した複数の画像ブロック毎に設定されたパラメータにより、読み出した原画像情報を画像ブロック０，１，２毎に調整して、表示画像情報を生成する。画像情報生成部１５は、輝度調整用画像についても、上記設定されたパラメータを基に生成する。
画像情報生成部１５は、当該表示画像情報を画像形成部１８に出力する。
【００３６】
このとき、画像情報生成部１５は、選択されたパラメータに規定される画像の輝度諧調、使用ピクセル数、ＰＤ輝度を基に、各画像ブロックの各色毎に輝度等の調整を行う。
画像情報生成部４７は、原画像情報からホログラム画像情報を生成する。この場合画像形成部１３は、ホログラム画像情報について位相変調してホログラム回折光を生成することとなる。
【００３７】
発光制御部１６は、受光部２０から入力した光強度に応じた信号に基づいて、光強度が指定された光強度になるように発光部１７の出力をフィードバック制御する。
【００３８】
画像表示装置１は、光源として、投影画像を表示するための赤（Ｒ）光を出力する発光部１７Ｒと緑（Ｇ）光を出力する発光部１７Ｇと青（Ｂ）光を出力する発光部１７Ｂを有する。発光部１７Ｒ，１７Ｇ、１７Ｂは、例えばレーザである。
発光部１７Ｒ，１７Ｇ、１７Ｂは、それぞれ赤と緑と青のレーザ光を画像形成部１８に照射する。発光部１７Ｒ，１７Ｇ、１７Ｂのレーザの光出力は、発光制御部１６によって制御される。なお、レーザの数は特に限定されない。
【００３９】
画像形成部１８は、画像情報生成部１５から入力した表示画像情報に基づいて、発光部１７Ｒ，１７Ｇ、１７Ｂから入射したレーザ光を位相変調してホログラム回折光を生成する。画像形成部１８は、生成したホログラム回折光をフーリエ変換レンズ１９に照射する。
【００４０】
画像情報生成部１５から画像形成部１８に関する一連の流れは、複数の画像ブロック０，１，２の表示画像情報に基づいて連続した異なるタイミングで行われる。
画像形成部１８は、複数の画像ブロック毎に連続した異なるタイミングで、画像ブロックを変調してホログラム回折光を得て、これをフーリエ変換レンズ１９に照射する。
【００４１】
画像形成部１８は、画像表示画面となる。画像形成部１８は、例えば、ＬＣＯＳ（Liquid Crystal on Silicon）である。
【００４２】
ここで、ＬＣＯＳは、一般的にはシリコンのＣＭＯＳ基板上にマトリクス状にＭＯＳ型トランジスタや画素電極を設け、このＣＭＯＳ基板と対向配置した基板の画素電極対向面に光学的に透明の共通電極を設け、これら２枚の基板間に封入された液晶層からなる反射型液晶表示素子である。
【００４３】
なお、画像形成部１８は、ＬＣＯＳに変えて透過型ＬＣＤ等を用いてもよい。
【００４４】
フーリエ変換レンズ１９は、画像形成部１８からのホログラム回折光をフーリエ変換して光拡散部２１に結像させる。
【００４５】
受光部２０は、フォトダイオード（ＰＤ）であり、光拡散部２１の周囲に設けられ、画像情報生成部１５で生成された表示画像情報に含まれる輝度調整用画像情報に応じた輝度調整画像が照射される位置に設けられている。発光制御部１６は、受光部２０から光強度を入力し、当該光強度が指定された光強度になるように発光部１７Ｒ，１７Ｇ、１７Ｂの出力をフィードバック制御する。
【００４６】
受光部２０および発光制御部１６は、いわゆるＡＰＣ（Auto Power Control）、出力調整部を構成しており、両者により光強度の制御を行う。当該光強度の指定はパラメータ設定部１３によって行われる。以上のように構成することにより、発光制御部１６は、画像形成部１８によって出力される輝度調整用画像を検出し、輝度調整用画像の検出結果を基に、発光部１７Ｒ，１７Ｇ、１７Ｂによる出力を調整する。
【００４７】
光拡散部２１は、フーリエ変換レンズ１９を介して入射したホログラム回折光を光拡散させる。
光拡散部２１は、例えば、ディスク状で透過型の光学部品（光学素子）を有している。当該光学部品のうち、光路を横断する光学面を光が透過する際に、場所によって約λ／２程度の光路差（位相差）が発生する。当該光部品は、光軸にほぼ平行な軸を中心に回転駆動される。光拡散部２１により、視認され画質劣化の要因となる光の干渉性のスペクトルノイズが抑制される。
【００４８】
光反射部２２は、拡大ミラーからなり、光拡散部２１からの光拡散された光を拡大・歪補正を行ってウィンドウシールドガラス５１に投影する。ウィンドウシールドガラス５１は、車両のフロントガラスとして設けられている。
光反射部２２は、光拡散部２１からの光に応じた表示像を拡大および歪補正を行って、ウィンドウシールドガラス５１に向けて投影し、この表示像を運転者の目５５の方向に反射させることによって当該表示像を、図６に示すように虚像５７として運転者の前方に結像させて運転者に表示像を視認させる。
【００４９】
＜画像表示装置の動作＞
本発明の実施形態に係る画像表示装置１の動作につき、図４乃至図６を参照しながら、以下に詳細に説明する。
図４は、本発明の実施形態の画像表示装置１の動作を示すフロー図である。
【００５０】
まず、画像情報生成部１５は、画像ブロック毎に原画像情報を画像メモリ１４から読み込む（Ｓ１）。
【００５１】
次に、パラメータ設定部１３は、パラメータメモリ１１に記憶しているパラメータ選択テーブルを参照して、パラメータ選択テーブルが示すパラメータを選択して設定する（Ｓ２）。次に、パラメータ設定部１３は、事前に決められたパラメータから順に設定するようにする。なお、画像表示装置１の動作状態に応じて、設定するパラメータを事前に決めてもよい。
【００５２】
次に、画像情報生成部１５は、画像メモリ１４に記憶している原画像情報を読み出して取得し、図５に示すステップＳ１２においてパラメータ設定部１３から取得したパラメータにより、図５に示すＳ１１において取得した原画像情報を調整して、表示する画像の画像情報を生成する（Ｓ３）。
【００５３】
画像情報生成部１５は、図５に示すステップＳ１３においてパラメータ設定部１３から取得したパラメータに基づいて、原画像情報の振幅Ｇ０（ｘ、ｙ）を上書きする。これにより、画像情報生成部１５は、赤（Ｒ）、緑（Ｇ）、青（Ｂ）の画像のカラーアンバランスの解消、これらの混合割合調整による混合色の色調調整、赤（Ｒ）、緑（Ｇ）、青（Ｂ）の輝度の比率調整を行う。
【００５４】
具体的には、画像情報生成部１５は、図２（ａ）のパラメータ選択テーブルを用いる場合、赤（Ｒ）の輝度階調、緑（Ｇ）の輝度階調、青（Ｂ）の輝度階調を変更する。また、画像情報生成部１５は、図２（ｂ）のパラメータ選択テーブルを用いる場合、赤（Ｒ）及び緑（Ｇ）、青（Ｂ）の使用ピクセル数を変更する。また、画像情報生成部１５は、図２（ｃ）のパラメータ選択テーブルを用いる場合、赤（Ｒ）のＰＤ輝度、緑（Ｇ）のＰＤ輝度、、青（Ｂ）のＰＤ輝度を変更する。
【００５５】
次に、画像形成部１８は、図４に示すように、画像情報生成部１５から入力した表示画像情報に基づいて、発光光１７からの光を位相変調してホログラム回折光を生成してフーリエ変換レンズ１９に照射する（Ｓ４）。
【００５６】
そして、受光部２０は、フーリエ変換レンズ１９からの光を受光する（Ｓ４）。
受光部２０は、光拡散部２１の周囲に設けられ、画像情報生成部１５で生成された表示画像情報に含まれる輝度調整用画像情報に応じた輝度調整画像の光を検出すう。そして、発光制御部１６は、受光部２０から光強度を入力し、当該光強度が指定された光強度になるように発光部１７Ｒ，１７Ｇの出力をフィードバック制御する。
【００５７】
そして、光拡散部２１は、ホログラム回折光を拡散する。また、光反射部２２は、図６に示すように、光拡散部２１からの光拡散された光線を拡大及び指向してウィンドウシールドガラス５１に投影する。
【００５８】
光反射部２２からウィンドウシールドガラス５１に投射された光は、ウィンドウシールドガラス５１で反射して運転者（搭乗者）の視点５５に到達する。運転者は、ウィンドウシールドガラス５１の前方の地点において、光反射部２２からの光に応じた画像を拡大した虚像（虚像表示像）５７として視認することができる。
ここで、画像形成部１８の表示面と、光拡散部２１の拡散領域上に形成される画像と、虚像５７と、は共役関係にある。
【００５９】
また、パラメータ設定部１３は、図４に示すように、表示する画像の画質評価値を求め、求めた画質評価値が基準値より大きいか否かを判定する（Ｓ５）。具体的には、パラメータ設定部１３は、赤（Ｒ）、緑（Ｇ）の輝度、及び、青（Ｂ）の輝度の輝度により求まる画質評価値であるＲ／Ｇ／Ｂ比が閾値より大きいか否かを判定する。
【００６０】
具体的には、パラメータ設定部１３は、図５に示すように、画像情報生成部１５が生成した表示画像情報にランダム位相を付与し（Ｓ１４）、逆フーリエ変換（ｈｎ´（ｘ´，ｙ´）＝ＦＴ−１［ｇｎ−１（ｘ，ｙ）］）を行い（Ｓ１５）、振幅を規格化（ｈｎ（ｘ´，ｙ´）＝ｈｎ´（ｘ´，ｙ´）／｜ｈｎ´（ｘ´，ｙ´）｜）を行い（Ｓ１６）、フーリエ変換ｇｎ´（ｘ，ｙ）＝ＦＴ［ｈｎ（ｘ´，ｙ´）］を行う（Ｓ１７）。
【００６１】
そして、パラメータ設定部１３は、ステップ１７で得られた画像について上述した画質評価を行う。
【００６２】
パラメータ設定部１３は、画質評価値が閾値より大きい場合（Ｓ５：Ｙｅｓ）、画質評価値は基準を満たしているため画質は良いものと判断して、設定したパラメータを変更しない。
【００６３】
一方、パラメータ設定部１３は、図４に示すように、画質評価値が閾値以下の場合（Ｓ５：Ｎｏ）、画質評価値は基準を満たしていないため画質は悪いものと判断して、図５に示すＳ１３においてパラメータメモリ１１に記憶しているパラメータ選択テーブルを参照して、運転者状態検出部１２から入力した位置情報の位置に対応付けられているパラメータのうち、前回設定したパラメータと異なるパラメータを、複数の画像ブロック毎に選択して設定する（Ｓ２）。
【００６４】
以上説明したように、画像表示装置１によれば、発光部１７Ｒ，１７Ｇ、１７Ｂからの赤（Ｒ）．緑（Ｇ）、青（Ｂ）の光を変調して画像を形成する場合に、パラメータ設定部１３が色毎にパラメータを規定した図２に示すパラメータテーブルを基に、画像情報生成部１５において、原画像情報を色毎に調整することができる。そのため、色ムラ等を抑えた高画質なカラー画像を提供できる。
【００６５】
また、画像表示装置１によれば、パラメータ設定部１３は、画質が所定の条件を満たさない場合に、前回と異なるパラメータを設定することにより、画像情報の画質が所定の条件を満たすまでパラメータを変更するので、良好な画質の画像を生成して表示できる。
【００６６】
また、画像表示装置１によれば、画像形成部１８は、画像情報生成部１５が生成した画像情報に基づいて、発光部１７Ｒ，１７Ｇ、１７Ｂからの赤（Ｒ）、緑（Ｇ）、青（Ｂ）の光を位相変調してホログラム回折光を生成することにより、設定したパラメータに基づいて原画像情報を調整するので、メカニカルな機構を用いずに表示輝度及び色調を調整したホログラム回折光を得て、得られたホログラム回折光により虚像を表示できる。
【００６７】
また、画像表示装置１によれば、パラメータ設定部１３は、投影画像のカラーアンバンランスを解消するパラメータを設定することにより、設定したパラメータによりカラーアンバランスを解消するので、輝度ムラを補正できる。
【００６８】
また、画像表示装置１によれば、パラメータ設定部１３は、投影画像の混合色の色調を調整するパラメータを設定することにより、輝度ムラに影響の大きい混合色の色調をパラメータにより調整するので、効率よく輝度ムラを調整できる。
【００６９】
また、画像表示装置１によれば、パラメータ設定部１３は、投影画像内に規定された複数の画像ブロック毎にパラメータを設定し、画像形成部１８は、画像情報生成部１５により生成した画像情報に基づいて、発光部１７Ｒ，１７Ｇ、１７Ｂからの赤（Ｒ）、緑（Ｇ）、青（Ｂ）の光を変調して複数の画像ブロック毎に異なるタイミングで変調を行うことにより、画像ブロック毎にパラメータを設定して画質を調整するので、画像ブロック毎に異なる調整を行って、より高精度な表示を可能にする。
【００７０】
また、画像表示装置１によれば、複数の発光部１７Ｒ，１７Ｇ、１７Ｂは、赤色の光と緑色の光と青色の光とを各々出力し、パラメータ設定部１３は、表示画像における赤色と緑色と青色との輝度の比を調整するためパラメータを設定するので、カラーバランスが優れた高精度な表示を可能にする。
【００７１】
また、画像表示装置１によれば、パラメータは、投影画像の表示位置で予め測定して求めた値であることにより、異なる表示位置に応じて輝度を調整するので、投影画像の表示位置に関わらず高精度な表示を可能にする。
【００７２】
本発明は上述した実施の形態には限定されない。
すなわち、当業者は、本発明の技術的範囲またはその均等の範囲内において、上述した実施の形態の構成要素に関し、様々な変更、コンビネーション、サブコンビネーション、並びに代替を行ってもよい。
【００７３】
具体的には、画像表示装置１は、車両に搭載されてフロントウィンドウに画像を表示する場合に限らず、車両以外の室内等に設置されて窓に画像を表示するようにしてもよい。
【００７４】
また、図２に示すパラメータ選択テーブルは一例であって、図２に示すパラメータ選択テーブルに格納されているパラメータ以外のパラメータを格納したパラメータ選択テーブルを用いて、パラメータを設定してもよい。
【００７５】
また、図３に示す画像ブロックの形状及び数は任意である。
また、図５に示す画像の画質を評価するフィードバック処理については行わなくてもよい。
【産業上の利用可能性】
【００７６】
本発明は、例えばヘッドアップディスプレイ等に適用可能である。
【符号の説明】
【００７７】
１  画像表示装置
１１  パラメータメモリ
１３  パラメータ設定部
１４  画像メモリ
１５  画像情報生成部
１６  発光制御部
１７Ｒ，１７Ｇ  発光部
１８  画像形成部
１９  フーリエ変換レンズ
２０  受光部
２１  光拡散部
２２  光反射部
５１  ウィンドウシールドガラス
５５  視点
５７  虚像
【図１】
2016177198.tif 000003
【図２】
2016177198.tif 000004
【図３】
2016177198.tif 000005
【図４】
2016177198.tif 000006
【図５】
2016177198.tif 000007
【図６】
2016177198.tif 000008